(57)【要約】【課題】ＵＶチューブの交換作業やシャッタ機構のメインテナンスの容易化を図ることができ、しかもＵＶチューブに対する熱的な問題を効果的に解消することのできる簡易な構成の火炎検出装置を提供する。【解決手段】受光窓（３ａ）を備えた遮光性の第１のケース（３）に光検出器（１）を収納した光検出ユニット（１０）と、第２の窓部（３１）を備えた遮光性の第２のケース（３５，４３）にシャッタブレード（４１）を収納すると共に、この第２のケースに前記シャッタブレードの駆動手段（４２）を組み込んだシャッタユニット（４０）とを、前記第１の窓部と前記第２の窓部との位置を合致させて着脱可能に結合する。また燃焼装置の火炎覗き窓に装着されるフランジユニット（２０）に前記シャッタユニットを着脱可能に固定する。【選択図】　　　図１
2004037092.tif 000002
【特許請求の範囲】
【請求項１】
火炎から放射される光を検出する光検出器を、前記光を前記光検出器へ導くための第１の窓部を備えた遮光性の第１のケースに収納した光検出ユニットと、
進退動作して前記光を遮断可能なシャッタブレードを、該シャッタブレードの進退動作によって開閉される第２の窓部を備えた遮光性の第２のケースに収納すると共に、この第２のケースに前記シャッタブレードを進退動作させる駆動手段を組み込んだシャッタユニットと、
前記第１の窓部と前記第２の窓部との位置を合致させて前記光検出ユニットと前記シャッタユニットとを着脱可能に結合する結合手段と
を具備したことを特徴とする火炎検出装置。
【請求項２】
請求項１記載の火炎検出装置において、
更に燃焼装置の火炎覗き窓に装着されるフランジユニットと、
このフランジユニットに前記シャッタユニットを着脱可能に固定する固定手段とを備えたことを特徴とする火炎検出装置。
【発明の詳細な説明】
【０００１】
【発明の属する技術分野】
本発明は、メンテナンス性の向上を図った火炎検出装置に関する。
【０００２】
【関連する背景技術】
火炎検出用の光検出器の一種である紫外線検出用放電管（ＵＶチューブ）は、紫外線を受けて放電を生起する一対の放電電極を円筒形のガラス管内に封入し、上記各放電電極のリード端子をガラス管の一端部から導出したもので、ガスバーナ等の燃焼状態をモニタする為の火炎センサとして用いられる。このような紫外線検出用放電管（ＵＶチューブ）を用いた火炎検出装置は、例えば特開平５−１２５８１号公報に開示されるように前記ＵＶチューブの受光窓を選択的に遮光するシャッタ機構を備え、所定の周期毎にシャッタを開けて前記ＵＶチューブによる火炎検出を行うように構成される。尚、典型的には特公昭４４−１０３９号公報に紫外線検出用放電管の構成が示され、また特公昭４７−７８７８号公報にその検出回路が開示される。
【０００３】
ちなみにシャッタ機構は、ばね性を有する長尺の金属板からなり、その先端部がＵＶチューブの先端部（受光窓）の前面に選択的に位置付けられるシャッタブレードと、このシャッタブレードを磁気吸引して該シャッタブレードに曲げを与え、これによって前記シャッタブレードをＵＶチューブの先端部の前面から退避させるソレノイドコイルからなる。
【０００４】
【発明が解決しようとする課題】
しかしながら従来の火炎検出装置は、専ら、シャッタ機構の上部に、特に長尺のシャッタブレードの上方にＵＶチューブを直接組み付けている。この為、例えばＵＶチューブの交換時やシャッタ機構のメインテナンス時にシャッタブレードを変形させてしまったり、ＵＶチューブ（ガラス管）を破損する虞があった。しかもソレノイドコイルの発熱が、前記ＵＶチューブに伝わり易いので、ＵＶチューブの寿命を劣化させる要因にもなっている。
【０００５】
本発明はこのような事情を考慮してなされたもので、その目的は、ＵＶチューブの交換作業やシャッタ機構のメインテナンスの容易化を図ることができ、しかもＵＶチューブに対する熱的な問題を効果的に解消することのできる簡易な構成の火炎検出装置を提供することにある。
【０００６】
【課題を解決するための手段】
上述した目的を達成するべく本発明に係る火炎検出装置は、該火炎検出装置を構成する要素をそれぞれユニット化したもので、特に
火炎から放射される光を検出するＵＶチューブ等の光検出器を、前記光を前記光検出器へ導くための第１の窓部を備えた遮光性の第１のケースに収納した光検出ユニットと、
進退動作して前記光を遮断可能なシャッタブレードを、該シャッタブレードの進退動作によって開閉される第２の窓部を備えた遮光性の第２のケースに収納すると共に、この第２のケースに前記シャッタブレードを進退動作させる駆動手段を組み込んだシャッタユニットと、
前記第１の窓部と前記第２の窓部との位置を合致させて前記光検出ユニットと前記シャッタユニットとを着脱可能に結合する結合手段と
を備えたことを特徴としている。
【０００７】
即ち、本発明に係る火炎検出装置は、光検出器とシャッタブレードとをそれぞれケースに収納してユニットを形成し、シャッタブレードの駆動手段からの発熱が光検出器に及ぼす影響を低減すると共に、シャッタユニットに対して光検出ユニットを着脱自在に設けることで光検出器の交換を簡単に行ない得るようにしたことを特徴としている。またフランジユニットに対してシャッタユニットを着脱自在に設けることで、シャッタユニットを単体の状態で保守点検できるようにしたことを特徴としている。
【０００８】
本発明の好ましい態様は、前記紫外線センサは、先端部に受光窓を開口した筒状のケーシングに収納され、このケーシングの後端部に該紫外線センサの外部接続用端子を設けてユニット化された火炎検出ユニットとして構成され、前記チューブホルダは、その上面に上記火炎検出ユニットを着脱自在に装着するように構成される。
【０００９】
また前記シャッタブレードは、Ｌ字状に折り曲げた先端部を前記紫外線センサの受光窓の前面に選択的に位置付けると共に、その後端部をシャッタユニットの基体に固定したばね性を有する長尺の金属板からなる。また前記シャッタ駆動機構は、前記シャッタユニットの基体に組み込まれて、前記シャッタブレードの先端側下面に取り付けられた金属片を磁気吸引して前記シャッタブレードを下方に曲げるソレノイドコイルとして実現される。
【００１０】
本発明の好ましい態様は、前記シャッタユニットの基体には、前記シャッタブレードの後端縁が差し込まれるスリットと、前記シャッタブレードの後端部側に設けられた孔および／または切欠き溝に嵌合する突起とが設けられる。そしてシャッタユニットの基体への前記シャッタブレードの装着を、該シャッタブレードの後端縁を前記スリットに差し込んだ後、前記孔および／または切欠き溝を前記突起に嵌合させるだけで、いわゆるワンタッチで位置決めして固定し得るように構成される。
【００１１】
【発明の実施の形態】
以下、図面を参照して本発明の一実施形態に係る火炎検出装置について説明する。
この火炎検出装置は、図１にその分解斜視図を示すように、概略的にはガスバーナ等の覗き窓（図示せず）に装着されるフランジユニット２０と、このフランジユニット２０にねじ止めする等して取り付けられるユニットホルダ３０、このユニットホルダ３０の下部に組み込まれるシャッタユニット４０を備える。そして図２にその概略的な組み付け構造を示すように、上記ユニットホルダ３０の上面に火炎検出ユニット１０を着脱自在に装着し、更にカバー５０にて前記ユニットホルダ３０やシャッタユニット４０を一括して覆って用いられる。尚、シャッタユニット４０は、前記ユニットホルダ３０に装着された火炎検出ユニット１０の先端部に対峙して設けられて該火炎検出ユニット１０への紫外線の入射を阻止する長尺の板ばね体からなるシャッタブレード４１と、ソレノイドコイルからなる上記シャッタブレード４１の駆動機構４２等を備えたものである。
【００１２】
ここで前記火炎検出ユニット１０は、図３にその概略的な構造を示すように、例えば紫外線検出用放電管（ＵＶチューブ）１をその保持体（チューブホルダ）２に組み付けて保持し、この保持体２と共に細長い筒状のケーシング（第１のケース）３の内部に収納した構造を有する。上記ケーシング３は、その先端部に貫通孔からなる受光窓（第１の窓部）３ａを設けた遮光性の部材からなり、先端部に向けて僅かに小径化した円錐台状の筒体からなる。そしてその内部に収納されるＵＶチューブ１を外力から保護すると共に、前記受光窓３ａ以外からの光（紫外線）の入射を阻止する役割を担う。そしてこのケーシング３の後端部を閉塞する前記保持体２の後側面（ケーシング３の後端部）には、前記ＵＶチューブ２の一対の放電電極に接続された外部接続用端子４が設けられている。
【００１３】
尚、ＵＶチューブ１は、例えば特公昭４４−１０３９号公報に開示されるように一対の放電電極（図示せず）を円筒状の石英ガラス管１ａに封入し、その後端部から前記各放電電極のリード端子１ｂをそれぞれ導出した構造をなす。そして上記保持体２は、例えば射出成形により製作された合成樹脂製のものからなり、その一端部に前記ＵＶチューブ１が装着される円盤状の基台部２ａを備えると共に、他端部に前記リード端子１ｂに対する外部接続用端子４を装着した円盤状の端子台部２ｂを備えた構造を有する。これらの円盤状の基台部２ａおよび端子台部２ｂは、板状の連結部２ｃを介して互いに対峙して同軸に設けられる。
【００１４】
上記連結部２ｃは、基台部２ａに装着されたＵＶチューブ１の封止突起部１ｃが進入する空間を確保している。またこの連結部２ｃが形成した空間において、前記基台部２ａに保持されたＵＶチューブ１のリード端子１ｂと前記端子台部２ｂに装着された外部接続用端子４の接続片とが、電気抵抗体５やリード線を介して相互に接続される。そして保持体２に保持されて外部接続用端子４に接続されたＵＶチューブ１は、その先端部にキャップ状のパッキング体６を装着して前記ケーシング３の内部に嵌め込まれてパッケージ化されている。このキャップ状のパッキング体６は、シリコーンゴム等からなり、ＵＶチューブ１の外周面とケーシング３の内周面との間を気密にシールする役割を担う。またこのパッキング体６の先端部には前記ＵＶチューブ１の先端を受光窓として開口する開口部６ａが設けられている。
【００１５】
前述したユニットホルダ３０は、このような火炎検出ユニット１０をその上面に着脱自在に装着するもので、概略的には前記フランジユニット２０への取付面側に前記火炎検出ユニット１０の先端部が嵌め込まれる筒状の先端保持部（受け部）３１を備えた合成樹脂製の基体３５を主体として構成される。上記先端保持部３１は貫通孔として形成されており、前記火炎検出ユニット１０の受光窓３ａが対峙する光導入用の受光窓（第２の窓部）としての機能も果たす。この先端保持部３１の内側に前述したシャッタブレード４１が選択的に位置付けられる。
【００１６】
またユニットホルダ３０（基体３５）の上面略中央部には、前記火炎検出ユニット１０の周壁を保持する円弧状の保持枠３２が設けられており、更にユニットホルダ３０（基体３５）の後端部には前記先端保持部３１に対峙して一対の圧接端子３３，３３が並べて取り付けられている。これらの圧接端子３３，３３は、ユニットホルダ３０の上面に装着された火炎検出ユニット１０の後端部に設けられた一対の外部接続用端子４，４にそれぞれ圧接して、その電気的接続をなすものである。これらの圧接端子３３，３３から外部接続用端子４，４を介して前記ＵＶチューブ１に所定の駆動電圧が印加される。
【００１７】
尚、圧接端子３３，３３に設けた孔部を通して、前記火炎検出ユニット１０の外部接続用端子４，４にねじ（図示せず）を螺着すれば、前記先端保持部３１への前記火炎検出ユニット１０の先端部の嵌め込みと相俟って、ユニットホルダ３０と火炎検出ユニット１０とを強固に結合して一体化することができる。特に以下に示すようにユニットホルダ３０の下部に予めシャッタユニット４０を組み付けておけば、上述した結合だけでシャッタユニット４０と火炎検出ユニット１０とを互いに精度良く位置決めして結合一体化することができる。即ち、ここでは先端保持部３１への火炎検出ユニット１０の先端部の嵌め込みと、圧接端子３３，３３および外部接続用端子４，４とのねじ締結とが前記シャッタユニット４０と火炎検出ユニット１０との結合手段を構成している。
【００１８】
さて上述したユニットホルダ３０の下部に取り付けられるシャッタユニット４０は、図４にその構造を分解して示すように、概略的には合成樹脂製の基体４３と、この基体４３のシンク部４３ａに組み込まれるソレノイドコイル４２と、上記基体４３の上面端部に取り付けられるシャッタブレード４１とからなる。
具体的には上記基体４３は、前記ユニットホルダ３０の前述した先端保持部（受け部）３１の下方に位置付けられる部位に設けられて、その上面を矩形状に開口した深底形の略直方体の空間を形成するシンク部４３ａを備えると共に、このシンク部４３ａの上端部に連なる上面板４３ｂを介して、前記ユニットホルダ３０の前述した圧接端子３３，３３の下方に位置付けられる部位に設けられた傾斜面からなる台座部４３ｃとを備える。そしてコイル導体を矩形状に巻回してなる空芯のソレノイドコイル４２を前記シンク部４３ａに収納し、またステンレス鋼からなる長尺のシャッタブレード４１の根元部を前記台座部４３ｃに取り付けるものとなっている。尚、図中４３ｆは、シャッタユニット４０を前述したユニットホルダ３０の下部に装着するためのフックである。
【００１９】
また前記上面板４３ｂにはその下面（裏面）側から一対の接続端子４４，４４が装着される。前記シンク部４３ａにその上方から嵌め込まれたソレノイドコイル４２のリード端子（図示せず）は、上記接続端子４４，４４に接続される。そして上記ソレノイドコイル４２は、これらの接続端子４４，４４にそれぞれ接続されるリード線（図示せず）を介して外部のシャッタ駆動回路により通電駆動されるものとものとなっている。
【００２０】
ところで前述したシャッタブレード４１は、先端部を上方に向けてＬ字状に折り曲げた長尺の金属板からなり、その後端部（根元部）を固定部として先端部の変位ストロークを十分に大きく確保した形状を有する。またこのシャッタブレード４１の後端部（根元部）には該シャッタブレード４１を台座部４３ｃに固定する為の孔４１ａと切り込み溝４１ｂとが設けられている。更には前記シャッタブレード４１の先端側には、下方に向けて前記ソレノイドコイル４２の空芯部に挿入可能な金属片４１ｃが取り付けられている。尚、上記シャッタブレード４１については、その素材であるステンレス鋼（ＳＵＳ）を予め熱処理しておけば、その弾性力のヘタリを防止して長期に亘って安定に使用することが可能となる。
【００２１】
一方、上記シャッタブレード４１が取り付けられる前記台座部４３ｃには、図５（ａ）（ｂ）にその要部断面構造を示すように、シャッタブレード４１の後端縁が差し込まれるスリット（溝）４３ｄと、前記孔４１ａおよび切欠き溝４１ｂにそれぞれ嵌合する突起（ボス）４３ｅとが設けられている。そして前記基体４３（台座部４３ｃ）への前記シャッタブレード４１の装着は、該シャッタブレード４１の後端縁を前記スリット４３ｄに差し込んだ後、図５（ｂ）に示すように前記孔４１ａおよび切欠き溝４１ｂを前記突起４３ｅにそれぞれ嵌合させて行われる。これらの嵌合により、シャッタブレード４１は基体４３に対して正確に位置決めされ、その先端部が前記ソレノイドコイル４２の上方に位置付けられる。
【００２２】
即ち、シャッタブレード４１を把持し、その後端縁を前記スリット４３ｄに差し込むと共に、孔４１ａおよび切欠き溝４１ｂを台座部４３上の突起４３ｅにそれぞれ嵌合させるだけで、特別な治具を用いることなくシャッタブレード４１の取り付け位置を正確に定めながら、その装着をいわゆるワンタッチで行い得るようになっている。
【００２３】
尚、上述した如く台座部４３ｃに装着されたシャッタブレード４１は、シャッタユニット４０をユニットホルダ３０の下部に取り付けた際、図５（ｂ）に示すように前記ユニットホルダ３０の下面側に設けられた突起３５と前記台座部４３ｃとの間に挟み込まれて取り外し不能に固定される。この挟み込みによってシャッタブレード４１の後端部（根元部）が強固に保持されて、その不本意な位置ずれ等が阻止される。
【００２４】
このようにして組み立てられるシャッタユニット４０においては、前記シャッタブレード４１は、常時はその弾性力によって上方に向けて偏倚している。この状態でシャッタユニット４０を前記ユニットホルダ３０の下部に取り付けることで、Ｌ字状に折り曲げられたシャッタブレード４１の先端部が前記ユニットホルダ３０の前述した先端保持部（受け部）３１内に挿入され、ユニットホルダ３０に装着された火炎検出ユニット１０の受光窓の前面に対向して位置付けられる。シャッタブレード４１の先端部によって前記火炎検出ユニット１０への光（紫外線）の入射が遮断されるようになっている。このような火炎検出ユニット１０への入射光が遮断された状態がシャッタの閉状態である。この際、入射光は実質的に遮断されていれば良く、火炎検出ユニット１０が検出しない程度の光の漏れは許容される。
【００２５】
尚、ユニットホルダ３０の下部へのシャッタユニット４０の組み付けは、その基体３５，４３間の互いに突き合わせられる部位の一方に設けた前述したフック４３ｆを、他方の部位に設けた係合溝（図示せず）に嵌合させて行われる。或いはその内部に突設したねじ穴を有するボス（図示せず）に、その外部からねじ（図示せず）を螺合させる等して両者の結合を行うようにしても良い。
【００２６】
さて前述したソレノイドコイル４２を通電すると、該ソレノイドコイル４２に生起される磁力によって前記シャッタブレード４１の先端側に取り付けられた金属片４１ｃがソレノイドコイル４２の空芯部に引き込まれ、これに伴って前記シャッタブレード４１は、その弾性力に抗して図２において破線で示すように下向きに曲げられる。するとシャッタブレード４１のＬ字状に折曲された先端部が前述した先端保持部（受け部）３１から引き出されて前記火炎検出ユニット１０の受光窓３ａの前面から退避する。
【００２７】
この結果、前記火炎検出ユニット１０の受光窓が開放され、前述した覗き窓を通して到来する火炎の光（紫外線）が火炎検出ユニット１０、ひいてはその内部に収納されたＵＶチューブ１に入射し、これによって火炎検出が行われることになる。その後、ソレノイドコイル４２の通電を停止すると、シャッタブレード４１はその弾性復帰力によって元の状態に戻り、Ｌ字状に折曲された先端部が再び前記先端保持部（受け部）３１内に入り込んで前記火炎検出ユニット１０への光（紫外線）の入射を遮断する。
【００２８】
尚、図４に示す部材４５は、シャッタブレード４１の上面に貼着されて前記ユニットホルダ３０の下面への上記シャッタブレード４１の衝突を緩和するクッション部材である。またコの字状の部材４６は、ソレノイドコイル４２の上面に貼着されて該ソレノイドコイル４２の上面への前記シャッタブレード４１の衝突を緩和するクッション部材である。
【００２９】
ここで上述したようにストロークの大きいシャッタブレード４１を採用するに至った理由を簡単に説明すると、例えば特公昭４４−１０３９号公報に開示されているような電極形状が所定面積の面状の拡がりを有する放電管を採用するためである。このような面電極を有する放電管は、その放電電流量を大きくとることができる。従って耐熱温度の低い電子部品（例えばコンデンサの寿命は１０５℃にて２０００時間）を使用した増幅回路を火炎検出器の筐体内に搭載する必要がなく、結果として火炎検出装置の耐熱温度を高くすることができる。
【００３０】
その反面、シャッタブレード４１は上述した電極を遮蔽できるだけの面積を持つ必要があり、このようなシャッタブレード４１を開閉するためには大きなストロークが必要とされる。このように大きなストロークを実現し、且つ製品寿命の長い駆動方式として、上述したように長い板ばね形状のシャッタブレード４１をソレノイドの磁力により吸引して非接触駆動する方式が適している。ちなみにこの方式で最適な設計がなされた製品の寿命試験を実施したところ、１億回の進退動作後でも全く異常が見つからなかった。尚、この方式の代わりに往復動型のプランジャを有する電磁アクチュエータを用いてシャッタブレードを進退動作させることも可能である。しかしプランジャの摺動部分の磨耗が否めないので、その寿命が比較的短いことを考慮する必要がある。
【００３１】
かくして上述した如く構成された火炎検出装置によれば、フランジユニット２０に取り付けられたユニットホルダ３０の上面に火炎検出ユニット１０が着脱し自在に装着されると共に、上記ユニットホルダ３０の下部に前述した構造のシャッタユニット４０が組み込まれるので、火炎検出ユニット１０の交換作業が容易であることのみならず、ユニットホルダ３０からシャッタユニット４０を取り外すことで、該シャッタユニット４０のメインテナンスも容易に実行することができる。しかもＵＶチューブ１がケーシング３に収納され、その後端部に外部接続用端子４，４が設けられているので、その取り扱いが容易であるだけでなく、ＵＶチューブ１を単体で取り扱うことがないので、その損傷を未然に防ぐことができる。
【００３２】
またユニットホルダ３０の上面に装着される火炎検出ユニット１０に対して前記シャッタユニット４０が上記ユニットホルダ３０の下部に設けられるので、シャッタユニット４０に組み込まれたソレノイドコイル４２から発せられる熱が火炎検出ユニット１０に伝わり難い。しかもＵＶチューブ１は、前述したように火炎検出ユニット１０の内部に収納されている。従ってソレノイドコイル４２が発した熱に起因してＵＶチューブ１の寿命が短くなるような不具合を効果的に防止することができる。
【００３３】
更にはシャッタユニット４０についても前述したようにシャッタブレード４１を基体４３の台座部４３ｃに簡易に取り付けることができ、またソレノイドコイル４２をシンク部４３ａに落とし込んで保持する構造なので、その組み付け作業の簡素化を図ることができ、更にはそのメインテナンスの簡素化を図ることも可能となる。またシャッタユニット４０を前記ユニットホルダ３０の下部に組み付けた状態においては、シャッタブレード４１がユニットホルダ３０により覆われるので、火炎検出ユニット１０の交換時等に作業者の手指がシャッタブレード４１に触れることがない。従ってシャッタブレード４１の不本意な変形を未然に防ぎ、その安定した動作を長期に亘って保証することが可能となる等の効果が奏せられる。
【００３４】
尚、本発明は上述した実施形態に限定されるものではない。例えばシャッタブレード４１の根元部に、孔４１ａおよび切欠き溝４１ｂの一方だけを設けるようにしても良い。要はシャッタブレード４１の後端縁をスリット４３ｄに差し込み、台座部４３ｃに設けた突起４３ｅに上記孔４１ａおよび／または切欠き溝４１ｂをの嵌合させたとき、これによってシャッタブレード４１の取り付け位置が正確に規定されるような構造としておけば良い。しかしこのようなシャッタブレード４１の取り付け構造に代えて、シャッタブレード４１の根元部をねじ等により基体４３に固定するような構造を採用することも勿論可能である。
【００３５】
また第１の窓部および第２の窓部は貫通孔である必要はなく、石英ガラスや紫外線等価アクリル等の紫外線透過材料からなる平板を嵌め込んで密閉したものであっても良い。更にはレンズ形状の部材を嵌め込んで集光作用を持たせたものであっても良い。更にここでは紫外線センサとしてＵＶチューブを用いたものについて例示したが、半導体固体センサを用いても良いことは言うまでもない。その他、本発明はその要旨を逸脱しない範囲で種々変形して実施することができる。
【００３６】
【発明の効果】
以上説明したように本発明によれば、火炎検出装置の上面に紫外線センサを着脱自在に保持するチューブホルダ、このチューブホルダの下部に装着されるシャッタユニットとしてそれぞれユニット化されているので、その取り扱いの容易化を図ると共に、メインテナンス性の向上を図ることができる。またシャッタユニットから発せられる熱が前記紫外線センサに伝わり難い構造とし、紫外線センサの寿命劣化を効果的に防止することができる。
【００３７】
またシャッタユニット自体の構造の簡素化を図り、シャッタブレードの組み付け構造も簡易化しているので、そのメインテナンス性の大幅な向上を図ることができる等の実用上多大なる効果が奏せられる。
【図面の簡単な説明】
【図１】本発明の一実施形態に係る火炎検出装置の概略的な全体構造を示す分解斜視図。
【図２】図１に示す火炎検出装置の組み付け構造を示す部分断面構成図。
【図３】火炎検出ユニットの概略構成を示す分解図。
【図４】図１に示す火炎検出装置におけるシャッタユニットの概略構成を示す分解図。
【図５】シャッタユニットの基台に対するシャッタブレードの取り付け構造を示す図。
【符号の説明】
１０　火炎検出ユニット
２０　フランジユニット
３０　ユニットホルダ
４０　シャッタユニット
４１　シャッタブレード
４１ａ　孔
４１ｂ　切欠き溝
４２　ソレノイドコイル
４３　基台
４３ｃ　台座部
４３ｄ　スリット（溝）
４３ｅ　突起
５０　カバー
【図１】
2004037092.tif 000003
【図２】
2004037092.tif 000004
【図３】
2004037092.tif 000005
【図４】
2004037092.tif 000006
【図５】
2004037092.tif 000007